(57)【要約】〔課題〕  耳にイアホンをさしこんで噛む音などを採取し、胸ポケットや腰のベルトにカウントメーターを装着するという簡単な方法で、噛む回数をカウントするものである〔解決手段〕  耳にイアホン１を差し込み、これをコード２で、胸ポケット３又は腰のベルト４に差し込んだマイコンを組み込んだメーター５と結び、採取音を解析して噛む回数を測定する。【選択図】  １【実用新案登録請求の範囲】
耳にイアホンを装着して食事の際に噛む音を拾い、マイコンで解析して噛む回数をカウントするカムメーター。
【考案の詳細な説明】
【考案の詳細な説明】
〔考案の属する技術分野〕
【０００１】  この考案は、耳にイアホンを装着して食事の際に噛む音を拾い、マイコンで解析して噛む回数をカウントする小型電子機器である。
〔従来の技術〕
【０００２】  これまで、噛む回数をカウントするには、本人が食事をしながら噛む回数を数えたり、ビデオで被験者を撮影し、映像を観察して噛む回数をカウントしていた。
噛む回数を直接数えるのは煩わしくてミスも多く、ビデオ撮影は大がかりな調査になる、という問題があった。
〔考案が解決しようとする課題点〕
【０００３】  本考案は、その欠点を除いて、耳にイアホンをさしこみ、胸ポケットや腰のベルトなどにカウントメーターを装着するという簡単な方法で、噛む回数をカウントしようとするものである。
〔課題を解決するための手段〕
【０００４】  その解決手段を図面で説明すると、耳にイアホン１を差し込み、これをコード２で、胸ポケット３又は腰のベルト４に差し込んだマイコンを組み込んだメーター５と結び、採取音を解析して噛む回数を測定するものである。
〔考案の実施の形態〕
【０００５】  使用する時には、利用者の胸ポケットか腰のベルトにカムメーターをつけ、イアホンを伸ばして耳に付け、噛む音を採取する。
〔実施例〕
【０００６】  このカムメーターは、歯科医師や保健師、栄養士が食事指導を行う際に対象者に貸し付けたり、学校給食などで一斉に子どもが食事で噛む回数を測定したり、家庭で噛む回数を測定し、献立改善などに役立てる。また、食品会社などが商品をアピールする際に、噛む回数を測定して表示できるようにする。
〔考案の効果〕
【０００７】  本考案により、学校などで一斉に子どもが食事で噛む回数を測定したり、家庭での食事で噛む回数を測定し、噛む回数の多い食事習慣を確立し、顎や歯を鍛え、歯並びを整え、知能の発達をよくし、ぼけ防止に役立てるものである。
【図面の簡単な説明】
【図１】  本考案の立面図
【符号の説明】
１  イアホン
２  コード
３  胸ポケット
４  腰のベルト
５  カウントメーター
【図１】
0003102632.tif 000002
【手続補正書】
【提出日】平成15年11月19日(2003.11.19)
【手続補正１】
【補正対象書類名】実用新案登録請求の範囲
【補正対象項目名】全文
【補正方法】変更
【補正の内容】
【実用新案登録請求の範囲】
【請求項１】
耳にイアホンを装着して食事の際に噛む音や振動を拾い、胸ポケット又は腰ベルトにつけたカウントメーターとコードで結び、マイコンで解析して噛む回数をカウントするチューイングメーター。
【手続補正５】
【補正対象書類名】明細書
【補正対象項目名】考案の属する技術分野
【補正方法】変更
【補正の内容】
【考案の属する技術分野】
この考案は、耳にイアホンを装着して食事の際に噛む音や振動を拾い、胸ポケット又は腰に付けたカウントメーターで解析して噛む回数をカウントする小型電子機器である。
【手続補正６】
【補正対象書類名】明細書
【補正対象項目名】課題を解決するための手段
【補正方法】変更
【補正の内容】
【課題を解決するための手段】
その解決手段を図面で説明すると、耳にイアホン１を差し込み、これをコード２で、胸ポケット３又は腰のベルト４に差し込んだマイコンを組み込んだカウントメーター５と結び、噛む音や振動を解析して噛む回数を測定するものである。
【手続補正７】
【補正対象書類名】明細書
【補正対象項目名】考案の実施の形態
【補正方法】変更
【補正の内容】
【考案の実施の形態】
使用する時には、利用者の胸ポケットか腰のベルトにカウントメーターをつけ、イアホンを伸ばして耳に付け、噛む音や振動を採取する。
【手続補正８】
【補正対象書類名】明細書
【補正対象項目名】実施例
【補正方法】変更
【補正の内容】
【実施例】
このチューイングメーターは、歯科医師や保健師、栄養士が食事指導を行う際に対象者に貸し付けたり、学校給食などで一斉に子どもが食事で噛む回数を測定したり、家庭で噛む回数を測定し、献立改善などに役立てる。また、ガムメーカーなどの食品会社が商品をアピールする際に、噛む回数を測定して表示できるようにする。
【手続補正９】
【補正対象書類名】明細書
【補正対象項目名】考案の効果
【補正方法】変更
【補正の内容】
【考案の効果】
本考案により、学校などで一斉に子どもが食事で噛む回数を測定したり、家庭での食事で噛む回数を測定し、噛む回数の多い食事習慣を確立し、顎や歯を鍛え、歯並びを整え、知能の発達をよくし、ぼけ防止に役立てるものである。また、噛む回数の多い食品開発に役立てることができる。
【手続補正書】
【提出日】平成16年3月2日(2004.3.2)
【手続補正１】
【補正対象書類名】手続補正書
【補正対象項目名】手続補正３
【補正方法】削除
【補正の内容】
【手続補正２】
【補正対象書類名】手続補正書
【補正対象項目名】手続補正４
【補正方法】変更
【補正の内容】
【手続補正４】
【補正対象書類名】明細書
【補正対象項目名】全文
【補正方法】変更
【補正の内容】
【考案の詳細な説明】
【技術分野】
【０００１】  この考案は、耳にイアホンを装着して食事の際に噛む音や振動を拾い、胸ポケット又は腰に付けたカウントメーターで解析して噛む回数をカウントする小型電子機器である。
【背景技術】
【０００２】  これまで、噛む回数をカウントするには、本人が食事をしながら噛む回数を数えたり、ビデオで被験者を撮影し、映像を観察して噛む回数をカウントしていた。
噛む回数を直接数えるのは煩わしくてミスも多く、ビデオ撮影は大がかりな調査になる、という問題があった。
【考案が解決しようとする課題点】
【０００３】  本考案は、その欠点を除いて、耳にイアホンをさしこみ、胸ポケットや腰のベルトなどにカウントメーターを装着するという簡単な方法で、噛む回数をカウントしようとするものである。
【課題を解決するための手段】
【０００４】  その解決手段を図面で説明すると、耳にイアホン１を差し込み、これをコード２で、胸ポケット３又は腰のベルト４に差し込んだマイコンを組み込んだカウントメーター５と結び、噛む音や振動を解析して噛む回数を測定するものである。
【考案を実施するための最良の形態】
【０００５】  使用する時には、利用者の胸ポケットか腰のベルトにカウントメーターをつけ、イアホンを伸ばして耳に付け、噛む音や振動を採取する。
【実施例】
【０００６】  このチューイングメーターは、歯科医師や保健師、栄養士が食事指導を行う際に対象者に貸し付けたり、学校給食などで一斉に子どもが食事で噛む回数を測定したり、家庭で噛む回数を測定し、献立改善などに役立てる。また、ガムメーカーなどの食品会社が商品をアピールする際に、噛む回数を測定して表示できるようにする。
【考案の効果】
【０００７】  本考案により、学校などで一斉に子どもが食事で噛む回数を測定したり、家庭での食事で噛む回数を測定し、噛む回数の多い食事習慣を確立し、顎や歯を鍛え、歯並びを整え、知能の発達をよくし、ぼけ防止に役立てるものである。また、噛む回数の多い食品開発に役立てることができる。
【図面の簡単な説明】
【０００８】
【図１】    本考案の立面図
【０００９】
【符号の説明】
１  イアホン
２  コード
３  胸ポケット
４  腰のベルト
５  カウントメーター
【手続補正３】
【補正対象書類名】手続補正書
【補正対象項目名】手続補正５
【補正方法】削除
【補正の内容】
【手続補正４】
【補正対象書類名】手続補正書
【補正対象項目名】手続補正６
【補正方法】削除
【補正の内容】
【手続補正５】
【補正対象書類名】手続補正書
【補正対象項目名】手続補正７
【補正方法】削除
【補正の内容】
【手続補正６】
【補正対象書類名】手続補正書
【補正対象項目名】手続補正８
【補正方法】削除
【補正の内容】
【手続補正７】
【補正対象書類名】手続補正書
【補正対象項目名】手続補正９
【補正方法】削除
【補正の内容】